(57)【要約】【課題】凹凸状のデザイン処理部が形成された合成樹脂製の遊技板に遊技釘を打ち付けた遊技盤を有するパチンコ遊技機において、遊技釘の耐久性を向上させることを目的とする。【解決手段】遊技板１１１に下穴１１１ｂを形成するとともに、下穴１１１ｂの周囲にデザイン処理部１１１ａが形成されていない平滑面の遊技釘保持部１１１ｃを形成し、下穴１１１ｂに遊技釘を打ち付ける。【選択図】図２
2010268894.tif 000002
【特許請求の範囲】
【請求項１】
合成樹脂製の遊技板の表面に多数の遊技釘が打ち付けられた遊技盤を有し、前記遊技板の表面及び裏面の少なくとも一方に凹凸状のデザイン処理部が形成されたパチンコ遊技機において、
前記遊技板に下穴を形成するとともに、前記下穴の周囲に前記デザイン処理部が形成されていない平滑面の遊技釘保持部を形成し、前記下穴に遊技釘を打ち付けたことを特徴とするパチンコ遊技機。
【請求項２】
デザイン処理部及び遊技釘保持部は遊技板の表面側に形成されていることを特徴とする請求項１に記載のパチンコ遊技機。
【請求項３】
遊技釘保持部の外縁形状は円形であり、遊技釘保持部の外縁の直径を、遊技釘末端の笠部の外径寸法以下に設定したことを特徴とする請求項２に記載のパチンコ遊技機。
【請求項４】
デザイン処理部及び遊技釘保持部は遊技板の裏面側に形成されていることを特徴とする請求項１〜請求項３に記載のパチンコ遊技機。
【発明の詳細な説明】
【技術分野】
【０００１】
本発明は、樹脂製の遊技盤を有するパチンコ遊技機の改良に関する。
【背景技術】
【０００２】
従来から特許文献１に示されるように、透明な合成樹脂を成型した遊技板に多数の遊技釘を打ち付けたパチンコ遊技機がある。合成樹脂製の遊技板に遊技釘を打ち付けるには、予め遊技板に下穴を多軸ボール盤等で貫通形成し、この下穴に遊技釘を圧入することにより行われている。このようなパチンコ遊技機は、従来の木製合板の遊技板を有するパチンコ遊技機と比べて、遊技板に用いられる合成樹脂を、リサイクルすることができる点で省資源化に有効である。また、遊技板の背後にＬＥＤ等の電飾装置を配設することにより、演出性に富み、魅力的なパチンコ遊技機を提供することが可能となる。このようなパチンコ遊技機は、前記電飾装置の構造を直接見せないように、或いは、前記電飾装置から発せられる光を複雑に拡散させるために、遊技板の表面又は裏面に、ダイヤカット等のデザイン処理部を形成することが一般的である。また、遊技板の表面にデザイン処理部を形成した場合には、遊技板上を落下する遊技球が、摩擦抵抗の大きいデザイン処理部と接触することにより減速し、遊技球の遊技釘や板面部品への衝突を和らげることができ、パチンコ遊技機の耐久性が向上するという副次的効果も得られる。
【先行技術文献】
【特許文献】
【０００３】
【特許文献１】特開平５−２９３２１５号公報
【発明の概要】
【発明が解決しようとする課題】
【０００４】
ところで、図６に示されるように、表面側にデザイン処理部１１１ａを形成した合成樹脂製の遊技板１１１に、遊技釘１１９を打ち付けたパチンコ遊技機では、従来の木製
合板の遊技板に遊技釘を打ち付けたパチンコ遊技機と比べて、遊技釘１１９が折れやすいという問題があった。この原因を順次説明すると、図６の（Ａ）に示されるように、下穴１１１ｂへの遊技釘１１９の接触距離ｕ、ｖが不均一であるため、遊技釘１１９に遊技球が衝突した場合に、図６の（Ｂ）に示されるように、遊技釘１１９が、前記接触距離が短い方（ｖ）に大きく振動し、遊技釘１１９の振動が復帰した際に、前記接触距離が長い方（ｕ）の遊技板１１１表面側の接触部分が削れて、図６の（Ｃ）に示されるように、下穴１１１ｂと遊技釘１１９との間に隙間９８が形成される。そして、この隙間９８に削り粉９９が堆積し、この削り粉９９によって下穴１１１ｂが摩耗することにより、隙間９８が大きくなってしまう。隙間９８が大きくなると、下穴１１１ｂによる遊技釘１１９の保持力が低下し、遊技釘１１９の振動が大きくなり、遊技釘１１９が金属疲労により折れてしまう。
【０００５】
また、図７に示されるように、裏面側にデザイン処理部１１１ｄを形成した合成樹脂製の遊技板１１１に、遊技釘１１９を打ち付けた構成の場合にも、図７の（Ａ）に示されるように、下穴１１１ｂへの遊技釘１１９の接触距離ｘ、ｙが不均一となる。この構成の場合には、遊技板１１１の裏面側に関し、前記接触距離が長い方（ｘ）は、接触距離が長いため、遊技釘１１９の振動が抑制される一方で、前記接触距離が短い方（ｙ）は、遊技釘１１９の振動が大きくなり、前記接触距離が短い方（ｙ）の遊技板１１１裏面側の接触部分が削られて、図７の（Ｃ）に示されるように、遊技板１１１裏面側の下穴１１１ｂと遊技釘１１９の基端との間に隙間９７が形成される。そして、この隙間９７に削り粉９９が堆積し、この削り粉９９によって下穴１１１ｂが摩耗することにより、隙間９７が大きくなってしまう。隙間９７が大きくなると、下穴１１１ｂによる遊技釘１１９の保持力が低下し、遊技釘１１９の振動が大きくなり、遊技釘１１９が金属疲労により折れてしまう。本発明は、上記問題を解決し、デザイン処理部が形成された合成樹脂製の遊技板に遊技釘を打ち付けた遊技盤を有するパチンコ遊技機において、遊技釘の耐久性を向上させることを目的とする。
【課題を解決するための手段】
【０００６】
上記課題を解決するためになされた請求項１に記載の発明は、
合成樹脂製の遊技板の表面に多数の遊技釘が打ち付けられた遊技盤を有し、前記遊技板の表面及び裏面の少なくとも一方に凹凸状のデザイン処理部が形成されたパチンコ遊技機において、
前記遊技板に下穴を形成するとともに、前記下穴の周囲に前記デザイン処理部が形成されていない平滑面の遊技釘保持部を形成し、前記下穴に遊技釘を打ち付けたことを特徴とする。
【０００７】
請求項２に記載の発明は請求項１に記載の発明において、デザイン処理部及び遊技釘保持部は遊技板の表面側に形成されていることを特徴とする。
【０００８】
請求項３に記載の発明は、請求項２に記載の発明において、遊技釘保持部の外縁形状は円形であり、遊技釘保持部の外縁の直径を、遊技釘末端の笠部の外径寸法以下に設定したことを特徴とする。
【０００９】
請求項４に記載の発明は、請求項１〜３に記載の発明において、デザイン処理部及び遊技釘保持部は遊技板の裏面側に形成されていることを特徴とする。
【発明の効果】
【００１０】
請求項１に記載の発明は、合成樹脂製の遊技板の表面に多数の遊技釘が打ち付けられた遊技盤を有し、前記遊技板の表面及び裏面の少なくとも一方に凹凸状のデザイン処理部が形成されたパチンコ遊技機において、前記遊技板に下穴を形成するとともに、前記下穴の周囲に前記デザイン処理部が形成されていない平滑面の遊技釘保持部を形成し、前記下穴に遊技釘を打ち付けたことを特徴とする。
このため、下穴に打ち付けられた遊技釘が、均一に下穴に接触し、デザイン処理部の影響による遊技釘の耐久性の低下が生じない。
【００１１】
請求項２に記載の発明は請求項１に記載の発明において、デザイン処理部及び遊技釘保持部は遊技板の表面側に形成されていることを特徴とする。
このため、遊技板の表面側にデザイン処理部を形成しても、下穴に打ち付けられた遊技釘が、均一に下穴に接触し、デザイン処理部の影響による遊技釘の耐久性の低下が生じない。
【００１２】
請求項３に記載の発明は、請求項２に記載の発明において、遊技釘保持部の外縁形状は円形であり、遊技釘保持部の外縁の直径を、遊技釘末端の笠部の外径寸法以下に設定したことを特徴とする。
このため、遊技者が遊技盤を正面視した場合に、遊技釘保持部が笠部で隠れ、遊技者に煩雑な印象を与えず、デザイン性に優れる。
【００１３】
請求項４に記載の発明は、請求項１〜３に記載の発明において、デザイン処理部及び遊技釘保持部は遊技板の裏面側に形成されていることを特徴とする。
このため、遊技板の裏面側にデザイン処理部を形成しても、下穴に打ち付けられた遊技釘が、均一に下穴に接触し、デザイン処理部の影響による遊技釘の耐久性の低下が生じない。
【図面の簡単な説明】
【００１４】
【図１】パチンコ遊技機の正面図である。
【図２】第１の実施形態の遊技盤の断面図である。
【図３】第１の実施形態の遊技板の斜視図である。
【図４】第２の実施形態の遊技盤の断面図である。
【図５】別例の遊技板の断面図である。
【図６】従来の問題点の説明図である。
【図７】従来の問題点の説明図である。
【発明を実施するための形態】
【００１５】
（パチンコ遊技機の概要）
以下に図面を参照しつつ、本発明の好ましい実施の形態を示す。図１に示されるように、パチンコ遊技機５００は、前面に遊技盤１１０を保持する遊技機本体と、この遊技機本体の前面に取り付けられた前面枠２００とから構成されている。遊技盤１１０は、前面枠２００で保持されたガラス板２０１を通して遊技者に視認されるようになっている。
【００１６】
遊技盤１１０は、遊技板１１１の表面に多数の遊技釘１１９が打ち付けられて構成されている。本発明では、遊技板１１１は透明な合成樹脂製である。前記合成樹脂には、ポリカーボネート、アクリル樹脂、アクリル樹脂にゴムを混合させた材質が含まれる。合成樹脂製の遊技板１１１に遊技釘１１９を打ち付けるには、予め遊技板１１１に下穴を多軸ボール盤等で貫通形成し、この下穴に遊技釘１１９を圧入することにより行われている。なお本実施形態では、前記下穴の内径は１．８〜１．９ｍｍであり、遊技釘１１９の直径は２ｍｍである。また、遊技板１１１の板厚は、７〜２０ｍｍである。
【００１７】
遊技盤１１０の略中央には、ＬＣＤ（Ｌｉｑｕｉｄ  Ｃｒｙｓｔａｌ  Ｄｉｓｐｌａｙ）等の画像表示装置で構成された図柄表示装置１１２が設けられている。図柄表示装置１１２には、通常遊技状態に、数字等からなる装飾図柄画像やリーチ等の演出動画が表示され、大当たり遊技状態に、大当たり遊技状態用の動画が表示されるようになっている。遊技盤１１０の図柄表示装置１１２の周囲は、遊技領域となっていて、前記したように多数の遊技釘１１９が打ち付けられている。また、遊技領域には、遊技球の落下方向を変化させる風車１１３が設けられている
【００１８】
図柄表示装置１１２の下方の遊技領域には、上始動口１１４、下始動口１１５が設けられている。上始動口１１４及び下始動口１１５に遊技球が入賞する度に、大当たりの抽選が行われ、抽選結果に応じ、図柄表示装置１１２に装飾図柄や演出動画が表示されるようになっている。図柄表示装置１１２の側方の遊技領域には、入賞ゲート１１６が配設されている。入賞ゲート１１６は、遊技球の通過を検出し、下始動口１１５を一定時間開放させる抽選を行うためのものである。
【００１９】
下始動口１１５の下方の遊技領域には、大入賞口１１７が設けられている。上始動口１１４及び下始動口１１５への入賞結果が大当たりである場合には、大入賞口１１７が、一定時間・一定回数開放され、大入賞口１１７に入賞した遊技球の数に応じて、賞球が払い戻されるようになっている。遊技領域の最下部には、いずれの始動口や入賞口に入賞しなかった遊技球を回収する回収口１１８が設けられている。
【００２０】
遊技板１１１の後方には、図示しない各種電飾装置が設けられている。この電飾装置は、遊技状態によって発光し、駆動機構によって揺動や回転するようになっている。本発明では、駆動機構の構造を直接見せないように、或いは、電飾装置から発せられる光を複雑に拡散させるために、遊技板１１１の表面及び裏面の少なくとも一方に、ダイヤカットやシボ等の凹凸状のデザイン処理部が形成されている。このデザイン処理部の構成については、後で詳細に説明する。
【００２１】
前面枠２００の下部には、手前側に膨出形成された受皿２０３が設けられている。受皿２０３は、貸し出された遊技球、払い戻された賞球、ファウル球を多数収納するものである。前面枠２００の下部には、遊技盤１１０上に遊技球を発射操作するためのハンドル２０２が回動自在に取り付けられている。
【００２２】
（第１の実施形態）
次に図２及び図３を用いて、第１の実施形態について説明する。第１の実施形態は、遊技板１１１の表面側にデザイン処理部１１１ａを形成した実施形態である。本実施形態では、下穴１１１ｂの周囲に、デザイン処理部１１１ａが形成されていない平滑面の遊技釘保持部１１１ｃを形成している。本実施形態では、下穴１１１ｂの周囲に、遊技釘保持部１１１ｃを形成したので、下穴１１１ｂに打ち付けられた遊技釘１１９が、均一に下穴１１１ｂに接触し、不均一に下穴１１１ｂに接触することがなく、デザイン処理部１１１ａの影響による遊技釘１１９の耐久性の低下が生じない。
【００２３】
従来のように表面にデザイン処理部１１１ａが形成された遊技板１１１に下穴１１１ｂを形成し、この下穴１１１ｂに遊技釘１１９を打ち付けたパチンコ遊技機の場合には、遊技釘１１９に遊技球が約２５００万回衝突すると遊技釘１１９が折れていた。一方で、本発明のように、下穴１１１ｂの周囲に、遊技釘保持部１１１ｃを形成したパチンコ遊技機の場合には、遊技釘１１９に遊技球が約１０５００万回衝突すると遊技釘１１９が折れる。このように、下穴１１１ｂの周囲に遊技釘保持部１１１ｃを形成すると、遊技釘１１９の寿命が約４倍に伸びる。
【００２４】
また、遊技板１１１に下穴１１１ｂを加工する際に、従来では、遊技板１１１の表面に形成されたデザイン処理部の凹凸により、ボール盤の回転するドリルが、遊技板１１１に対して傾いて侵入してしまう場合があるという問題があったが、本実施形態ではデザイン処理部１１１ａが形成されていない遊技釘保持部１１１ｃを形成することとしたので、ボール盤の回転するドリルが、遊技板１１１に対して傾いて侵入することが無いという副次的効果も得られる。
【００２５】
なお、遊技釘保持部１１１ｃの外縁形状を円形状とし、図２に示されるように、遊技釘保持部１１１ｃの外縁の直径ａを、遊技釘１１９末端の笠部１１９ａの外径寸法ｂ以下に設定することが、遊技者が遊技盤１１０を正面視した場合に、遊技釘保持部１１１ｃが笠部１１９ａで隠れる点で意匠上好ましい。
【００２６】
（第２の実施形態）
次に図４を用いて第２の実施形態について説明する。第２の実施形態は、遊技板１１１の裏面側にデザイン処理部１１１ｄが形成されている実施形態である。第２の実施形態では、下穴１１１ｂの周囲に、デザイン処理部１１１ｄが形成されていない平滑面の遊技釘保持部１１１ｅを形成している。第２の実施形態では、下穴１１１ｂの周囲に、遊技釘保持部１１１ｅを形成したので、下穴１１１ｂに打ち付けられた遊技釘１１９が、均一に下穴１１１ｂに接触し、不均一に下穴１１１ｂに接触することがなく、デザイン処理部１１１ｄの影響による遊技釘１１９の耐久性の低下が生じない。
【００２７】
従来のように裏面にデザイン処理部１１１ｄが形成された遊技板１１１に下穴１１１ｂを形成し、この下穴１１１ｂに遊技釘１１９を打ち付けたパチンコ遊技機の場合には、遊技釘１１９に遊技球が約２６００万回衝突すると遊技釘１１９が折れていた。一方で、本実施形態のように、下穴１１１ｂの周囲に、遊技釘保持部１１１ｅを形成したパチンコ遊技機の場合には、遊技釘１１９に遊技球が約１０５００万回衝突すると遊技釘１１９が折れる。このように、下穴１１１ｂの周囲に遊技釘保持部１１１ｅを形成すると、遊技釘１１９の寿命が約４倍に伸びる。
【００２８】
（総括）
なお、第１の実施形態及び第２の実施形態を組み合わせて、遊技板１１１の表面にデザイン処理部１１１ａ及び遊技釘保持部１１１ｃするとともに、遊技板１１１の裏面にザイン処理部１１１ｄ及び遊技釘保持部１１１ｅを形成することにしても差し支えない。この構成であっても、下穴１１１ｂに打ち付けられた遊技釘１１９が、均一に下穴１１１ｂに接触し、不均一に下穴１１１ｂに接触することがなく、デザイン処理部１１１ａ及びデザイン処理部１１１ｄの影響による遊技釘１１９の耐久性の低下が生じない。
【００２９】
なお、図５に示されるように、遊技釘１１９の先端を遊技板１１１の裏面から突出させず、遊技釘１１９がデザイン処理部１１１ｄに接触しないように、遊技釘１１９を下穴１１１１ｂに打ち込む構成にしても差し支えない。この構成の場合には、下穴１１１ｂに打ち付けられた遊技釘１１９が、不均一に下穴１１１ｂに接触することがなく、デザイン処理部１１１ｄの影響による遊技釘１１９の耐久性の低下が生じない。
【００３０】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴うパチンコ遊技機もまた技術的範囲に包含されるものとして理解されなければならない。      
【符号の説明】
【００３１】
９７      隙間
９８      隙間
９９      削り粉
１００    遊技機本体
１１０    遊技盤
１１１    遊技板
１１１ａ  デザイン処理部（表面側）
１１１ｂ  下穴
１１１ｃ  遊技釘保持部（第１の実施形態）
１１１ｄ  デザイン処理部（裏面側）
１１１ｅ  遊技釘保持部（第２の実施形態）
１１２    図柄表示装置
１１３    風車
１１４    上始動口
１１５    下始動口
１１６    入賞ゲート
１１７    大入賞口
１１８    回収口
１１９    遊技釘
２００    前面枠
２０１    ガラス板
２０２    ハンドル
２０３    受皿
【図１】
2010268894.tif 000003
【図２】
2010268894.tif 000004
【図３】
2010268894.tif 000005
【図４】
2010268894.tif 000006
【図５】
2010268894.tif 000007
【図６】
2010268894.tif 000008
【図７】
2010268894.tif 000009